(57)【特許請求の範囲】
【請求項１】
二つ以上のチャンバーが区画形成された第１のハウジングと、前記第１のハウジングの内部に配置され、前記二つ以上のチャンバーの一つを開放して当該チャンバーに水が流入されるようにする第１の流路調節ユニットと、前記第１のハウジングの一つのチャンバーに連結され、ビデノズル及び洗浄ノズルに形成された流路と連結された三つ以上の区画室に区切られる第２のハウジングと、前記第２のハウジングの内部に配置され、前記三つ以上の区画室の一部を開放して当該一部の区画室に水が流入されるようにする第２の流路調節ユニットと、前記第２のハウジングに連結された前記第１のハウジングの一つのチャンバーに連結され、吐出側の端部に向かって狭くなるフレキシブルな材料の空気チュ−ブを備えており、空気圧によって開放されてチャンバーに流入される水に空気を混合させる空気混合部とを含む、便器用ビデの流路制御装置と、
殺菌水を提供する殺菌水モジュールと、
便器の表面に殺菌水を噴射して便器を殺菌する便器殺菌モジュールと、
前記流路制御装置の吐出側流路に連結される連結管と、
前記連結管とノズルチップ洗浄部に連結されるノズルチップ殺菌管と、
前記連結管と前記便器殺菌モジュールに連結される便器殺菌管とを含み、
前記ノズルチップ殺菌管及び前記便器殺菌管には、前記殺菌水モジュールで形成された殺菌水が供給され、
前記第１の流路調節ユニットは、前記第１のハウジングの流入側に結合され、前記二つ以上のチャンバーにそれぞれ対応するように連通口が形成された第１の流路連通部材と、前記第１のハウジングの内部に回転可能に設けられ、前記連通口の一つを選択的に開閉させることができるように開閉口が形成された第１の流路開閉部材と、前記第１の流路開閉部材を回転させる駆動モータとを含み、
前記第２の流路調節ユニットは、前記第２のハウジングの流入側に結合され、前記各区画室と対応するように複数個の連通口が形成された第２の流路連通部材と、前記第２のハウジングの内部に回転可能に設けられ、前記連通口の一部を選択的に開閉させる開閉口が形成された第２の流路開閉部材と、前記第２の流路開閉部材を回転させる駆動モータとを含み、
前記第２の流路連通部材に形成された連通口には、前記ビデノズルまたは洗浄ノズルのうち同一のノズルに連結される対向する構成要素の連通口に向かって前記各区画室に流入される水の流量を制御する段差部が形成され、前記段差部は前記開閉口によって同時に開放される、便器用ビデ。
【請求項２】
前記殺菌水モジュールは、前記連結管に連結され、当該連結管から吐出された水に電気を印加してイオン化させることにより殺菌水を形成する、請求項１に記載の便器用ビデ。
【請求項３】
前記連結管に連結されて前記殺菌水モジュールに流入される水に反応物質を添加することにより当該殺菌水モジュールで殺菌物質の生成量を増大させる反応物質添加モジュールをさらに含む、請求項２に記載の便器用ビデ。
【請求項４】
前記反応物質は、ＮａＣｌ又はＮａＣｌＯ２であり、
前記反応物質添加モジュールには、反応物質が水に露出されるように収容される、請求項３に記載の便器用ビデ。
【請求項５】
前記流路制御装置と殺菌水モジュールとを連結する直水供給管をさらに含む、請求項２に記載の便器用ビデ。
【請求項６】
前記空気混合部は、空気が通ることができるように空気チューブの空気吐出側に配置された多孔性部材をさらに含む、請求項１に記載の便器用ビデの流路制御装置。
【請求項７】
前記多孔性部材は、スポンジ状又はメッシュ状に形成される、請求項６に記載の便器用ビデの流路制御装置。
【発明の詳細な説明】
【技術分野】
【０００１】
本発明は、便器用ビデに関する。
【背景技術】
【０００２】
一般に、便器（すなわち、大便器、室内便器など）は、ユーザーが座って用便をする機器である。便器には、トイレの快適性及び衛生のためにビデを設けることができる。
【０００３】
ビデには、用便の後に身体の一部に洗浄水を噴射するようにノズルアセンブリーが設けられる。上記ノズルアセンブリーは、進退可能に設けられて洗浄水を噴射する洗浄ノズル及びビデノズルと、当該洗浄ノズル及びビデノズルのノズルチップの外側面を洗浄するノズルチップ洗浄部と、を含む。
【０００４】
また、上記ビデには、洗浄ノズル、ビデノズル及びノズルチップ洗浄部に供給される流路を制御できるように流路制御装置が設けられる。上記流路制御装置は、２ウェイバルブ（２  ｗａｙ  ｖａｌｖｅ）と４ウェイバルブ（４  ｗａｙ  ｖａｌｖｅ）とを含む。
【０００５】
この際、上記２ウェイバルブは、ノズルチップ洗浄部に連結されるチューブと４ウェイバルブに連結されるチューブとにそれぞれ連結される。また、上記４ウェイバルブは、洗浄ノズルとビデノズルとに連結されるチューブに連結される。
【０００６】
また、上記２ウェイバルブと上記４ウェイバルブとを連結するチューブには、水の流れ（すなわち、水流）に空気を注入できるように空気注入管が連結され、当該空気注入管には、空気をポンピングできるようにエアポンプが連結される。
【０００７】
また、上記ビデには、便器とノズルチップ洗浄部に殺菌水を供給して便器を殺菌できるように殺菌モジュールが設けられることができる。上記殺菌モジュールは、チューブによって便器とノズルチップ洗浄部にそれぞれ連結される。
【０００８】
しかしながら、従来は、便器とノズルチップを洗浄するときに殺菌モジュールに同じ水が供給されるため、便器とノズルチップが殺菌されるときにほぼ同じ量の殺菌物質が当該殺菌モジュールから生成された。したがって、上記便器が殺菌されるときには、相対的に多量の殺菌物質が必要とされるため、当該便器が十分に殺菌されることが困難であった。
【０００９】
また、上記流路制御装置では、２ウェイバルブと４ウェイバルブとがチューブによって連結され、当該２ウェイバルブと当該４ウェイバルブとの間のチューブに空気チューブが連結されるため、チューブの連結構造が複雑になりチューブの連結部の数が増えた。また、上記流路制御装置が故障した時、上記各チューブの連結位置を把握するための時間が顕著に増え、当該各チューブを再組み立てする時にも組み立て時間が顕著に増えた。
【００１０】
また、上記流路制御装置では、チューブの連結関係が複雑であるため、当該チューブの連結部から漏水が生じる可能性が高かった。また、上記チューブの連結部の一部から漏水が生じる場合、その原因を見出すことも困難であった。
【００１１】
さらに、上記流路制御装置では、２ウェイバルブと４ウェイバルブとの間のチューブに空気チューブが連結されるため、当該チューブに沿って流動する水の水圧が高くなることにより空気の混合比が低くなった。
【００１２】
また、上記ビデの内部に２ウェイバルブと４ウェイバルブを設けるためのリブや締結孔等によって設置構造が複雑になった。さらにまた、上記ビデを製作するための金型の構造が複雑になるため、当該ビデの製造コストが増えた。
【発明の概要】
【発明が解決しようとする課題】
【００１３】
上述した問題点を解決するために、本発明の目的は、チューブの連結構造が簡単になりチューブの連結部の数を減らすことができる流路制御装置を有する便器用ビデを提供することである。
【００１４】
本発明の他の目的は、流路制御装置が故障したときに、上記各チューブの連結位置を把握するための時間を顕著に減らし、当該各チューブを再組み立てするときにも組み立て時間を顕著に減らすことができる流路制御装置を有する便器用ビデを提供することである。
【００１５】
本発明のさらに他の目的は、便器とノズルチップが殺菌されるときに、当該便器とノズルチップの殺菌に必要なだけの殺菌物質を生成させることができる便器用ビデを提供することである。
【００１６】
本発明のさらに他の目的は、チューブの連結構造が簡単になりチューブの連結部の数を減らすことができる便器用ビデを提供することである。
【００１７】
本発明のさらに他の目的は、流路制御装置が故障したときに、上記各チューブの連結位置を把握するための時間を顕著に減らし、当該各チューブを再組み立てするときにも組み立て時間を顕著に減らすことができる便器用ビデを提供することである。
【００１８】
本発明のさらに他の目的は、漏水が生じる可能性を減少させ、漏水の原因を容易に見出すことができる便器用ビデを提供することである。
【００１９】
本発明のさらに他の目的は、空気の混合比を向上させることができる便器用ビデを提供することである。
【課題を解決するための手段】
【００２０】
本発明による便器用ビデは、二つ以上のチャンバーが区画形成された第１のハウジングと、前記第１のハウジングの内部に配置され、前記二つ以上のチャンバーの一つを開放して当該チャンバーに水が流入されるようにする第１の流路調節ユニットと、前記第１のハウジングの一つのチャンバーに連結され、ビデノズル及び洗浄ノズルに形成された流路と連結された三つ以上の区画室に区切られる第２のハウジングと、前記第２のハウジングの内部に配置され、前記三つ以上の区画室の一部を開放して当該一部の区画室に水が流入されるようにする第２の流路調節ユニットと、前記第２のハウジングに連結された前記第１のハウジングの一つのチャンバーに連結され、吐出側の端部に向かって狭くなるフレキシブルな材料の空気チュ−ブを備えており、空気圧によって開放されてチャンバーに流入される水に空気を混合させる空気混合部とを含む、便器用ビデの流路制御装置と、殺菌水を提供する殺菌水モジュールと、便器の表面に殺菌水を噴射して便器を殺菌する便器殺菌モジュールと、前記流路制御装置の吐出側流路に連結される連結管と、前記連結管とノズルチップ洗浄部に連結されるノズルチップ殺菌管と、前記連結管と前記便器殺菌モジュールに連結される便器殺菌管とを含み、前記ノズルチップ殺菌管及び前記便器殺菌管には、前記殺菌水モジュールで形成された殺菌水が供給され、前記第１の流路調節ユニットは、前記第１のハウジングの流入側に結合され、前記二つ以上のチャンバーにそれぞれ対応するように連通口が形成された第１の流路連通部材と、前記第１のハウジングの内部に回転可能に設けられ、前記連通口の一つを選択的に開閉させることができるように開閉口が形成-+0された第１の流路開閉部材と、前記第１の流路開閉部材を回転させる駆動モータとを含み、前記第２の流路調節ユニットは、前記第２のハウジングの流入側に結合され、前記各区画室と対応するように連通口が形成された第２の流路連通部材と、前記第２のハウジングの内部に回転可能に設けられ、前記連通口の一部を選択的に開閉させる開閉口が形成された第２の流路開閉部材と、前記第２の流路開閉部材を回転させる駆動モータとを含み、前記第２の流路連通部材に形成された連通口には、前記ビデノズルまたは洗浄ノズルのうち同一のノズルに連結される対向する構成要素の連通口に向かって前記各区画室に流入される水の流量を制御する段差部が形成され、前記段差部は前記開閉口によって同時に開放される。
【００２２】
上記殺菌水モジュールは、上記連結管に連結され、当該連結管から吐出された水に電気を印加してイオン化させることにより殺菌水を形成することができる。
【００２３】
上記便器用ビデは、上記連結管に連結されて上記殺菌水モジュールに流入される水に反応物質を添加することにより当該殺菌水モジュールで殺菌物質の生成量を増大させる反応物質添加モジュールをさらに含むことができる。
【００２４】
上記反応物質は、ＮａＣｌ又はＮａＣｌＯ２であり、上記反応物質添加モジュールには、上記反応物質が水に露出されるように収容されることができる。
【００２５】
上記便器用ビデは、上記流路制御装置と上記殺菌水モジュールとを連結する直水供給管をさらに含むことができる。
【００２６】
前記空気混合部は、空気が通ることができるように空気チューブの空気吐出側に配置された多孔性部材を含むことができる。
【００２７】
上記多孔性部材は、スポンジ状又はメッシュ状に形成されることができる。
【発明の効果】
【００３０】
本発明によると、チューブの連結構造が簡単になり、チューブの連結部の数が減少する。
【００３１】
流路制御装置が故障したとき、上記各チューブの連結位置を把握するための時間が顕著に減少し、当該各チューブを再組み立てするときにも組み立て時間が顕著に減少する。
【００３２】
漏水が生じる可能性を減少させ、漏水の原因を容易に見出すことができる。
【００３３】
空気の混合比を向上させ、泡沫のサイズを均一にすることができる。
【００３４】
空気と水とが混合されるときに生じる騒音を減少させることができる。
【００３５】
便器とノズルチップを殺菌するのに十分な殺菌物質を生成させることができる。
【００３６】
殺菌物質をイオン化させることにより殺菌物質を生成するため、電気分解に比べて相対的に低い電圧を用いることができ、消費電力を顕著に低くすることができる。
【図面の簡単な説明】
【００３７】
【図１】本発明による便器及び便器用ビデを示す斜視図である。
【００３８】
【図２】本発明による便器用ビデを構成する殺菌システムの第１の実施形態を示す構成図である。
【００３９】
【図３】図１の便器用ビデのノズルアセンブリーを示す斜視図である。
【００４０】
【図４】図１の便器用ビデの流路制御装置を示す斜視図である。
【００４１】
【図５】図４の流路制御装置の内部構造を示す部分切開斜視図である。
【００４２】
【図６】図４の流路制御装置を示す分解斜視図である。
【００４３】
【図７】図４の流路制御装置を示す断面図である。
【００４４】
【図８】図６の第１の流路連通部材を示す斜視図である。
【００４５】
【図９】図６の第２の流路連通部材を示す斜視図である。
【００４６】
【図１０】図４の便器用ビデが洗浄モードで運転されるときに洗浄ノズルの直線流路とワイド流路に水が供給される状態を示す状態図である。
【００４７】
【図１１】図４の便器用ビデが洗浄モードで運転されるときに洗浄ノズルの直線流路のみに水が供給される状態を示す状態図である。
【００４８】
【図１２】図４の便器用ビデがビデモードで運転されるときにビデノズルの直線流路とワイド流路に水が供給される状態を示す状態図である。
【００４９】
【図１３】図４の便器用ビデがビデモードで運転されるときにビデノズルの直線流路のみに水が供給される状態を示す状態図である。
【００５０】
【図１４】図４の便器用ビデがノズルチップ洗浄モードで運転されるときにノズルチップ洗浄部に水が供給される状態を示す状態図である。
【００５１】
【図１５】図４の便器用ビデが便器殺菌モードで運転されるときに便器殺菌モジュールに殺菌水が供給される状態を示す状態図である。
【００５２】
【図１６】本発明による便器用ビデを構成する殺菌システムの第２の実施形態を示す構成図である。
【００５３】
【図１７】本発明の変形実施形態の空気混合部の断面図である。
【発明を実施するための形態】
【００５４】
以下、上記目的を達成するための本発明による便器用ビデの流路制御装置の具体的な実施形態について図を参照しつつ説明する。
【００５５】
図１は、本発明の実施の形態による便器と便器用ビデを示す斜視図である。
【００５６】
図１を参照すると、便器１０には、水が収容される。上記便器１０の上部には、便器用ビデ２０が設けられる。
【００５７】
上記便器用ビデ２０は、上記便器１０に取り付けられる本体３０を含む。上記本体３０の下側には、上記便器１０の上面の後側に取り付けられるようにブラケット（図示せず）が配置されることができる。上記ブラケットは、上記本体３０の下側に着脱可能に結合される。
【００５８】
上記本体３０の前方側には、回転可能に座板４０がヒンジ結合される。上記座板４０の内部には、当該座板４０を適宜な温度に温めるヒーター（図示せず）が配置される。
【００５９】
記本体の上側には、回転可能にカバー５０が結合される。上記カバー５０は、上記本体３０の上側にヒンジ結合される。
【００６０】
上記本体３０の内部には、乾燥装置６０が設けられることができる。上記乾燥装置６０は、常温の空気又は高温の空気を身体の一部に送風することができる。
【００６１】
上記本体３０の内部には、ノズルアセンブリー７０が配置される。上記ノズルアセンブリー７０には、洗浄ノズル７３（図３参照）とビデノズル７５（図３参照）が往復可能に設けられることができる。上記洗浄ノズル７３は、肛門を洗浄し、上記ビデノズル７５は、女性の性器を洗浄する。
【００６２】
上記本体３０の一側１４５には、上記乾燥装置６０と上記ノズルアセンブリー７０等を制御するために、操作部８０が配置される。上記操作部８０には、ユーザーが所定の機能を選択できるように多数のボタンが含まれる。ユーザーが洗浄ボタン又はビデボタン等を押すと、上記ノズルアセンブリー７０の洗浄ノズル７３又はビデノズル７５が前方側に前進して洗浄水を噴射して身体の一部を洗浄する。
【００６３】
上記本体３０には、上記便器１０に殺菌水を噴射するための便器殺菌モジュール２５０が設けられる。上記便器殺菌モジュール２５０は、多数の噴射ノズル２５１を含み、上記便器１０の表面に殺菌水を泡沫状や液滴状に噴射（または噴霧）する。
【００６４】
図２は、本発明の第１の実施の形態による便器用ビデの殺菌システムを示す構成図である。
【００６５】
図２を参照すると、上記本体１０は、殺菌システムを含んでいる。上記殺菌システムは、上記便器１０とノズルチップ７３ｂ、７５ｂに殺菌水を噴射して殺菌する。
【００６６】
上記殺菌システムは、流路制御装置１００と連結管２２１と直水供給管２１１と殺菌水モジュール２３０と反応物質添加モジュール２４０とノズルチップ殺菌管２１２と便器殺菌管２２２とを含む。
【００６７】
上記流路制御装置１００は、給水された水の流路を選択的に切り換える。上記流路制御装置１００は、給水タンク９０または水道管と配管により連結されることができる。
【００６８】
上記流路制御装置１００が給水タンク９０と連結されている場合、当該給水タンク９０には、当該流路制御装置１００に水をポンピングするために給水ポンプ（図示せず）を設けることができる。上記流路制御装置１００が水道管と連結されている場合、当該流路制御装置１００には、水道管の水圧によって水が供給されるので、給水ポンプを別に設ける必要がない。
【００６９】
上記ノズルアセンブリー７０の洗浄ノズル７３及びビデノズル７５に連結される複数の流路管２０１、２０２、２０３、２０４は、上記流路制御装置１００に連結される。上記流路制御装置１００とノズルチップ洗浄部７７とは、ノズルチップ殺菌管２１２によって連結され、上記流路制御装置１００と便器殺菌モジュール２５０とは、便器殺菌管２２２によって連結される。ノズルアセンブリー７０と流路制御装置１００については、以下で詳述する。
【００７０】
上記殺菌水モジュール２３０は、一般に、連結管２２１の吐出側と直水供給管２１１に連結される。この場合、上記流路制御装置１００は、上記連結管２２１と上記直水供給管２１１のいずれか一つに選択的に水を流動させる。
【００７１】
上記殺菌水モジュール２３０は、上記連結管２２１と上記直水供給管２１１から吐出された水をイオン化することにより殺菌水を形成する。この場合、上記殺菌水モジュールの電極には、約５〜２５Ｖの電圧が印加されるため、約１００Ｖの電圧を印加して水を電気分解する場合と比べて、顕著に低い電圧で水をイオン化させることができる。また、上記水の酸化還元反応では、高い電圧を印加する必要がないので、多量の電解質を必要としない。
【００７２】
このように、水に電気を印加して殺菌水を生成することは、当業者に自明な技術的事項であるため、詳細な説明を省略する。
【００７３】
上記反応物質添加モジュール２４０は、上記直水供給管２１１に連結される。上記反応物質添加モジュール２４０は、上記直水供給管２１１から上記殺菌水モジュール２３０に流入する水に反応物質（図示せず）を添加することにより、当該殺菌水モジュール２３０の殺菌物質の生成量を増大させる。この場合、上記反応物質としては、固体状態のＮａＣｌの塊又はＮａＣｌＯ２を用いることができるが、本発明は、これらに限定されず、他の塩を用いることもできる。
【００７４】
この場合、上記反応物質は、流入した水に露出するように、上記反応物質添加モジュール２４０の内部に収容することができる。このような反応物質は、上記反応物質添加モジュール２４０内に流入する水と混合され、上記殺菌水モジュール２３０に流入する。その後、上記殺菌水モジュール２３０では、ＮａＣｌが混合された水に電気を印加して殺菌物質であるＯＣｌ−イオンを生成する。
【００７５】
上記殺菌水モジュール２３０と上記ノズルチップ洗浄部７７は、上記ノズルチップ殺菌管２１２によって連結され、上記殺菌水モジュール２３０と上記便器殺菌モジュール２５０は、上記便器殺菌管２２２によって連結される。
【００７６】
図３は、図１の便器用ビデのノズルアセンブリーを示す斜視図である。
【００７７】
図３を参照すると、上記ノズルアセンブリー７０は、上記本体３０の内部に配置されるプレート７１と、当該プレート７１に往復可能に結合される洗浄ノズル７３及びビデノズル７５と、当該洗浄ノズル７３及び当該ビデノズル７５のノズルチップ７３ｂ、７５ｂに水を噴射できるように当該洗浄ノズル７３及び当該ビデノズル７５の上側に配置されるノズルチップ洗浄部７７と、上記洗浄ノズル７３及び上記ビデノズル７５を前後に往復運動させるノズル駆動装置７８とを含む。
【００７８】
上記洗浄ノズル７３と上記ビデノズル７５の端部には、上記ノズルチップ７３ｂ、７５ｂがそれぞれ着脱可能に結合されることができる。
【００７９】
上記洗浄ノズル７３と上記ビデノズル７５には、一対ずつの水流入部７３ａ、７５ａがそれぞれ形成され、上記ノズルチップ洗浄部７７には、一つの水流入部７７ａが形成されることができる。
【００８０】
上記洗浄ノズル７３及び上記ビデノズル７５には、直線流路（図示せず）及びワイド流路（図示せず）がそれぞれ形成される。ここで、直線流路は、該当ノズルに対して水流が直線に噴射または噴霧されるようにする流路であり、ワイド流路は、該当ノズルに対して水流が一定の角度で広がって噴射または噴霧されるようにする流路である。この場合、上記ワイド流路は、直線流路に沿って流動する水に圧力を加えることによって水の噴射角度を調節することができる。
【００８１】
上記洗浄ノズル７３のうち、一つの水流入部７３ａは、直線流路に連結され、他の水流入部７３ａは、ワイド流路に連結される。また、上記ビデノズル７５のうち、一つの水流入部７５ａは、直線流路に連結され、他の水流入部７５ａは、ワイド流路に連結される。
【００８２】
上記洗浄ノズル７３の一対の水流入部７３ａには、上記流路調節装置１００に連結された一対の流路管２０１、２０２（図２参照）が連結されることができる。上記ビデノズル７５の一対の水流入部７５ａには、上記流路調節装置１００に連結された他の一対の流路管２０３、２０４（図２参照）が連結されることができる。これにより、上記流路調節装置１００は、上記洗浄ノズル７３と上記ビデノズル７５との、直線流路とワイド流路とに選択的に水を供給することができる。
【００８３】
図４は、図１の便器用ビデの流路制御装置を示す斜視図であり、図５は、図４の流路制御装置の内部構造を示す部分切開斜視図である。
【００８４】
図４及び図５を参照すると、上記流路制御装置１００は、第１のハウジング１１０と、第１の流路調節ユニット１３０（図６参照）と、第２のハウジング１６０と、第２の流路調節ユニット１７０（図６参照）とを含む。以下では、上記第１及び第２のハウジング１１０、１６０を説明した後に上記第１及び第２の流路調節ユニット１３０、１７０を説明する。
【００８５】
上記第１のハウジング１１０は、円筒状に形成されることができる。上記第１のハウジング１１０には、給水タンク９１又は水道管がチューブ（図示せず）によって当該第１のハウジング１１０に連結されることができるように、給水連結部１１１が形成される。また、上記第１のハウジング１１０には、上記第１の流路調節ユニット１３０の駆動モータ１５８が結合されることができるように、結合部１１２が締結されることができる。上記駆動モータ１５８の一端は、上記結合部１１２に固定されるよう面接触されている。
【００８６】
上記第１のハウジング１１０の吐出側には、第１、第２及び第３のチャンバー１１３、１１４、１１５（図５参照）が区画によって形成されるが、この場合には、必要に応じてチャンバーの数は調整されることができる。上記第１のハウジング１１０の内部を横切る区画リブ１１７（図５参照）によって上記第１のハウジング１１０の内部を上記第１、第２及び第３のチャンバー１１３、１１４、１１５に区切ることができる。この場合、上記区画リブ１１７は、Ｔ字状に形成されることができる。
【００８７】
上記第１のチャンバー１１４には、当該第１のチャンバー１１４に流入された水が上記ノズルチップ洗浄部７７に供給されるようにする自己洗浄連結部１０１が形成されることができる。上記自己洗浄連結部１０１は、上記ノズルチップ殺菌管２１２よって上記ノズルチップ洗浄部７７の水流入部７３ａと連結される。
【００８８】
上記第２のチャンバー１１４には、便器連結部１０２が形成されることができる。上記便器連結部１０２は、上記便器殺菌管２２２によって上記便器殺菌モジュール２５０に連結される。
【００８９】
上記第１のハウジング１１０の第３のチャンバー１１５には、上記第２のハウジング１６０が連結される。上記第１のハウジング１１０の第３のチャンバー１１５には、空気混合部１２０が連結されることができる。上記空気混合部１２０は、チューブ（図示せず）によってエアポンプ９５に連結される。
【００９０】
上記空気混合部１２０は、上記第３のチャンバー１１５と区画されて上記第２のハウジング１６０と連通する。上記第３のチャンバー１１５に流入された水が空気と混合された後に上記第２のハウジング１６０に吐出されることができるように、上記空気混合部１２０には流入孔１２１が形成されることができる。空気混合部１２０は、管状を有することができる。
【００９１】
上記流入孔１２１は、上記第３のチャンバー１１５の水流入側に対応するように形成されることができる。したがって、上記第３のチャンバー１１５から水が、上記流入孔１２１を介して上記空気混合部１２０に円滑に流入することができるようになっている。
【００９２】
上記空気混合部１２０の内部空間は、上記流入孔１２１で急激に拡張されるため、当該空気混合部１２０では圧力が降下することとなる。これにより、空気の混合比は、上記空気混合部１２０で顕著に増える。また、空気のポンピング圧力が相対的に低くても、水に空気を十分に混合させることができるため、上記エアポンプ９５の使用容量を低くすることができる。
【００９３】
上記第２のハウジング１６０の内部には、三つ以上の区画室１６１、１６２、１６３、１６５が形成されることができる。上記区画室１６１、１６２、１６３、１６４には、上記洗浄ノズル７３と上記ビデノズル７５に水を供給する流路管２０１、２０２、２０３、２０４を連結するために、ノズル連結部１０５、１０６、１０７、１０８が形成されることができる。
【００９４】
例えば、上記四つの区画室１６１、１６２、１６３、１６４は、第２のハウジング１６０に形成されることができる。この場合、上記洗浄ノズル連結部１０５、１０６は、一対の区画室１６１、１６２に形成され、上記ビデノズル連結部１０７、１０８は、他の一対の区画室１６３、１６４に形成される。この場合、上記一対の区画室１６１、１６２の洗浄ノズル連結部１０５、１０６には、一対の流路管２０１、２０２が連結され、上記他の一対の区画室１６３、１６４のビデノズル連結部１０７、１０８には、他の一対の流路管２０３、２０４が連結されることができる。
【００９５】
したがって、上記一対の区画室１６１、１６２は、上記洗浄ノズル７３の直線流路とワイド流路に連結され、上記他の一対の区画室１６３、１６４は、上記ビデノズル７５の直線流路とワイド流路に連結される。
【００９６】
また、上記第２のハウジング１６０の内部には、三つの区画室が形成されることができる。一対の区画室には、洗浄ノズル連結部が形成され、他の一つの区画室には、ビデノズル連結部が形成されることができる。
【００９７】
この場合、上記一対の区画室は、洗浄ノズルの直線流路とワイド流路に連結され、上記他の一つの区画室は、ビデノズルの直線流路に連結されることができる。
【００９８】
上記第２のハウジングの内部に三つの区画室が形成される場合、一つの区画室には、洗浄ノズル連結部が形成され、他の一対の区画室には、ビデノズル連結部がそれぞれ形成されることができる。
【００９９】
上記第２のハウジング１６０に形成する区画室の数は、上記洗浄ノズル７３と上記ビデノズル７５の流路の数に応じて変えることができる。以下では、上記第２のハウジング１６０に四つの区画室１６１、１６２、１６３、１６４が形成される場合を基に説明する。
【０１００】
上記第１のハウジング１１０と上記第２のハウジング１６０は、ほぼチャンネル形状の流路を有するように配置されることができる。したがって、上記流路制御装置１００の大きさを減らすことができる。
【０１０１】
上記第１のハウジング１１０と上記第２のハウジング１６０は、互いに平行な流路を有するように配置されることもできることは勿論のことである。この場合、流路制御装置１００は、チャンネル形状を有する流路制御装置１００に比べて長くすることができる。
【０１０２】
図６は、図４の流路制御装置を示す分解斜視図であり、図７は、図４の流路制御装置を示す断面図である。
【０１０３】
図６及び図７を参照すると、上記第１のハウジング１１０の内部には、上記第１の流路調節ユニット１３０が配置される。上記第１の流路調節ユニット１３０は、上記第１、第２及び第３のチャンバー１１３、１１４、１１５の一部を開放するように設けられて、当該チャンバーに水が流入されるようにする。
【０１０４】
上記第１の流路調節ユニット１３０は、第１の流路連通部材１４０と第１の流路開閉部材１５０と駆動モータ１５８とを含む。
【０１０５】
上記第１の流路連通部材１４０には、上記第１、第２及び第３のチャンバー１１３、１１４、１１５にそれぞれ対応するように三つの連通口１４１、１４３、１４５が形成される。
【０１０６】
上記第１のハウジング１１０には係止部１１８（図５参照）が形成されて、上記第１の流路連通部材１４０の縁を支持している。上記係止部１１８は、上記第１の流路連通部材１４０の縁を支持し、上記区画リブ１１７は、上記第１の流路連通部材１４０の下面を支持するため、当該第１の流路連通部材１４０に水圧が作用しても当該第１の流路連通部材１４０が変形することを防止する。
【０１０７】
上記第１の流路連通部材１４０には、環状のガスケット１４７が設けられて、当該第１の流路連通部材１４０と上記係止部１１８との隙間をシールする。また、上記ガスケット１４７には、中心部を横切るようにクロス部１４７ａが形成されて、上記第１の流路連通部材１４０と上記区画リブ１１７との隙間をシールする。上記クロス部１４７ａは、上記区画リブ１１７の上面と接触することができるように、ほぼＴ字状に形成されることができる。
【０１０８】
上記第１の流路連通部材１４０の一面には、上記ガスケット１４７のクロス部１４７ａが挟まるように、溝１４６（図６参照）が形成される。
【０１０９】
上記第１の流路開閉部材１５０は、上記第１のハウジング１１０の内部に回転可能に設けられて、上記三つの連通口１４１、１４３、１４５の一つを選択的に開閉させる。
【０１１０】
この場合、上記第１の流路開閉部材１５０は、上記第１の流路連通部材１４０に面接触され上記連通口１４１、１４３、１４５を開閉させる開閉口１５２が形成されたディスク部１５１と、当該ディスク部１５１と上記駆動モータ１５８に軸結合される回転部１５５と、を含むことができる。この場合、上記ディスク部１５１と上記回転部１５５とは、着脱可能に結合されることができる。
【０１１１】
上記第１の流路調節ユニット１３０は、上記第１の流路開閉部材１５０のディスク部１５１を上記第１の流路連通部材１４０に密着させることができるように、弾性部材１５７をさらに含むことができる。この場合、上記弾性部材１５７は、上記ディスク部１５１と上記回転部１５５との間に結合されて、当該ディスク部１５１と当該回転部１５５とが離れるように弾性力を作用させる役割をする。
【０１１２】
上記駆動モータ１５８としては、回転角度を正確に調節できるステッピングモータ（ｓｔｅｐｐｉｎｇ  ｍｏｔｏｒ）を用いることができる。
【０１１３】
上記第２のハウジング１６０の内部には、上記第２の流路調節ユニット１７０が配置されることができる。上記第２の流路調節ユニット１７０が上記第２のハウジング１６０の内部に設けられており、上記四つの区画室１６１、１６２、１６３、１６４の一部（一つ又は二つ）を開放してそれらに水が流入できるようになっている。
【０１１４】
上記第２の流路調節ユニット１７０は、第２の流路連通部材１８０と、第２の流路開閉部材１９０と、駆動モータ１９８とを含む。
【０１１５】
上記第２の流路連通部材１８０には、上記四つの区画室１６１、１６２、１６３、１６４にそれぞれ対応するように、四つの連通口１８１、１８２、１８３、１８４が形成される。
【０１１６】
上記第２のハウジング１６０には、上記第２の流路連通部材１８０の縁を支持するための係止突起部（図示せず）が形成されることができる。この場合、上記第２の流路連通部材１８０は、上記係止部と十字型リブ１６７によって支持されるため、当該第２の流路連通部材１８０に水圧が作用しても当該第２の流路連通部材１８０が変形することを防止することができる。
【０１１７】
上記第２の流路連通部材１８０には、環状のガスケット１８７が設けられて、当該第２の流路連通部材１８０と上記係止部（図示せず）との隙間をシールする。また、上記ガスケット１８７には、中心部を横切るように十字型クロス部１８７ａが形成されて、上記第２の流路連通部材１８０と上記十字型リブ１６７との隙間をシールする。
【０１１８】
また、上記第２の流路連通部材１８０の一面には、上記ガスケット１８７の十字型クロス部１８７ａを挿入できるように、十字型溝１８６（図６参照）が形成される。
【０１１９】
上記第２の流路開閉部材１９０は、上記第２のハウジング１６０の内部に回転可能に設けられて、上記四つの連通口１８１、１８２、１８３、１８４の一部を選択的に開閉させる。
【０１２０】
即ち、上記第２の流路開閉部材１９０は、上記洗浄ノズル７３と連通する一対の区画室１６１、１６２、または、一つの区画室を開放させることができる。この場合、上記区画室１６１、１６２が開放される数に応じて、ワイド水流または直線水流が上記洗浄ノズル７３から噴射される。
【０１２１】
また、上記第２の流路開閉部材１９０は、上記ビデノズル７５と連通する一対の区画室１６３、１６４、または、一つの区画室を開放させることができる。上記区画室１６３、１６４が開放される数に応じて、ワイド水流または直線水流が上記ビデノズル７５から噴射される。
【０１２２】
この場合、上記第２の流路開閉部材１９０は、上記第２の流路連通部材１８０に面接触され上記連通口１８１、１８２、１８３、１８４を開閉させるための開閉口１９２が形成されたディスク部１９１と、当該ディスク部１９１と上記駆動モータ１９８に軸結合される回転部１９５とを含むことができる。この場合、上記ディスク部１９１と上記回転部１９５とは、着脱可能に結合されることができる。
【０１２３】
上記第２の流路調節ユニット１７０は、上記第２の流路開閉部材１９０のディスク部１９１を上記第２の流路連通部材１８０に密着させることができるように弾性部材１９７をさらに含むことができる。この場合、上記弾性部材１９７は、上記ディスク部１９１と上記回転部１９５との間に結合されて、当該ディスク部１９１と当該回転部１９５とが離れるように弾性力を作用する役割をする。
【０１２４】
上記駆動モータ１９８としては、回転角度を正確に調節できるステッピングモータ（ｓｔｅｐｐｉｎｇ  ｍｏｔｏｒ）を用いることができる。
【０１２５】
図８は、第１の流路連通部材を示す斜視図である。
【０１２６】
図８を参照すると、上記第１の流路連通部材１４０には、上記第１、第２及び第３のチャンバー１１３、１１４、１１５に対応するように三つの連通口１４１、１４３、１４５が形成される。この場合、上記第３のチャンバー１１５と対応する連通口１４５の一側には、段差部１４５ａが形成されることができる。この場合、上記段差部１４５ａは、上記第１の流路開閉部材１５０のディスク１５１と上記第１の流路連通部材１４０の接触面とを離隔させて、上記第３のチャンバー１１５に流入される水の流量を制御する。
【０１２７】
この場合、上記ディスク１５１の開閉口１５２が最も高い段差部１４５ａと対応すると、上記第３のチャンバー１１５には、最小量の水が供給される。また、上記ディスク１５１の開閉口１５２が連通口１４５と対応すると、上記第３のチャンバー１１５には、最大量の水が供給される。
【０１２８】
また、上記第１の流路開閉部材１５０の開閉口１５２は、上記連通口１４１、１４３、１４５及び上記段差部１４５ａの一つに対応するサイズで形成されることができる。したがって、上記開閉口１５２は、上記連通口１４１、１４３、１４５に対応するか、又は、上記段差部１４５ａに対応するようにすることができる。
【０１２９】
図９は、第２の流路連通部材を示す斜視図である。
【０１３０】
図９を参照すると、上記第２の流路連通部材１８０には、上記各区画室１６１、１６２、１６３、１６４に対応するように、四つの連通口１８１、１８２、１８３、１８４が形成される。上記連通口１８１、１８２、１８３、１８４のそれぞれの一側には、少なくとも一つ以上の段差部１８１ａ、１８２ａ、１８３ａ、１８４ａがそれぞれ形成されて、上記第２の流路開閉部材１９０のディスク１９１の接触面と離隔されることにより、上記区画室１６１、１６２、１６３、１６４に流入される水の流量を制御する。
【０１３１】
上記一対の連通口１８１、１８２、１８３、１８４には、対向する構成要素の連通口に向かって段差部１９１ａ、１９２ａ、１９３ａ、１９４ａがそれぞれ形成されることができる。この場合、一対の連通口は、同じノズル７３、７５と連結される連通口をいう。
【０１３２】
上記開閉口１９２が各対の連通口に位置すると、同じノズル７３、７５の直線流路とワイド流路とに同時に水が供給される。
【０１３３】
上記流路制御装置１００は、一つの本体に多様な流路が形成されるため、チューブの連結構造を単純化することができる。さらに、上記流路制御装置１００の組み立て時間と製造コストを減少させることができる。また、上記流路制御装置１００が故障したときに上記各チューブの連結位置を把握するための時間を顕著に減らし、当該各チューブを再組み立てするときにも組み立て時間を顕著に減らすことができる。
【０１３４】
さらに、上記流路制御装置１００では、チューブの連結関係が単純化するため、漏水が生じる部分を直ぐに見出すことができる。
【０１３５】
また、上記流路制御装置１００が単純化するので、ビデでも、リブや締結孔等の設置構造が単純化することができる。さらに、上記ビデを製作するための金型の構造が単純化するため、当該ビデの製造コストを削減させることができる。
【０１３６】
上記のように構成された本発明による便器用ビデの作用について説明する。
【０１３７】
上記便器用ビデは、洗浄モード、ビデモード、ノズルチップ洗浄モード及び便器殺菌モードを行うことができるため、当該モードの順に説明する。
【０１３８】
図１０は、便器用ビデが洗浄モードで運転されるときに洗浄ノズルの直線流路とワイド流路に水が供給される状態を示す状態図である。
【０１３９】
図１０を参照すると、ユーザーがワイド洗浄ボタンを選択する場合、上記ノズルアセンブリー７０のノズル駆動装置７８が駆動されて上記洗浄ノズル７３が前進する。また、上記給水ポンプ９１が稼働されることにより、上記第１のハウジング１１０に水が供給される。
【０１４０】
そして、上記第１の流路調節ユニット１３０の駆動モータ１５８が回動することにより、上記ディスク１５１の開閉口１５２は、上記第３のチャンバー１１５に対応する連通口１４５を開放させる。そのとき、上記第１のハウジング１１０の水は、上記第３のチャンバー１１５に流入される。
【０１４１】
また、上記エアポンプ９５が稼働されることにより、上記空気混合部１２０に空気が供給される。これと同時に、上記第３のチャンバー１１５の水が上記空気混合部１２０の流入孔１２１を介して当該空気混合部１２０に流入される。
【０１４２】
この場合、水が第１のハウジング１１０の流入孔１２１を介して上記空気混合部１２０に流入されると、空気混合部１２０の空間が急激に拡張されているため、空気混合部１２０で圧力が降下する。水の圧力が低下した空気混合部１２０に空気が供給されるので、空気混合部１２０での空気の混合比が顕著に増える。本発明による空気混合構造は、従来のように空気チューブが２ウエイバルブと４ウエイバルブとの間のチューブに連結される構造に比べて、空気混合比が約２０〜３０％増える。
【０１４３】
上記空気混合部１２０で空気と混合された水は、上記第２のハウジング１６０に流入される。このとき、上記第２の流路調節ユニット１７０の駆動モータ１９８が回動することにより、上記ディスク１９１の開閉口１９２は、上記第２の流路連通部材１８０のうち上記洗浄ノズル７３と連結された一対の連通口１８１、１８２を開放する。即ち、上記ディスク１９１の開閉口１９２は、一対の連通口１８１、１８２の一側に形成された段差部１８１ａ、１８２ａを同時に開放する。
【０１４４】
上記第２のハウジング１６０に流入された水は、小さい泡沫が形成された状態で、上記洗浄ノズル７３の直線流路とワイド流路に供給される。したがって、上記洗浄ノズル７３のノズルチップ７３ｂを介して泡沫が形成されたワイド水流が噴射される。
【０１４５】
図１１は、便器用ビデが洗浄モードで運転されるときに洗浄ノズルの直線流路のみに水が供給される状態を示す状態図である。
【０１４６】
図１１を参照すると、ユーザーが直線洗浄ボタンを選択する場合、上記ノズルアセンブリー７０のノズル駆動装置７８が駆動されて上記洗浄ノズル７３が前進する。また、上記給水ポンプ９１が稼働されることにより、上記第１のハウジング１１０に水が供給される。
【０１４７】
また、上記第１の流路調節ユニット１３０の駆動モータ１５８が回動することにより、上記ディスク１５１の開閉口１５２は、上記第３のチャンバー１１５と対応する連通口１４５を開放させる。そのとき、上記第１のハウジング１１０の水は、第３のチャンバー１１５に流入される。
【０１４８】
そして、上記エアポンプ９５が稼働されることにより上記空気混合部１２０に空気が供給される。これと同時に、上記第３のチャンバー１１５の水が上記空気混合部１２０の流入孔１２１を介して当該空気混合部１２０に流入される。これと同時に、上記空気混合部１２０では、圧力降下によって空気の混合比が顕著に増える。上記空気混合部１２０で空気と混合された水は、上記第２のハウジング１６０に流入される。
【０１４９】
上記第２の流路調節ユニット１７０の駆動モータ１９８が回動することにより、上記ディスク１９１の開閉口１９２は、上記第２の流路連通部材１８０のうち上記洗浄ノズル７３の直線流路に対応する連通口１８１を開放する。即ち、上記ディスク１９１の開閉口１９２は、直線流路に対応する一つの連通口１８１のみを開放する。
【０１５０】
上記第２のハウジング１６０に流入された水は、小さい泡沫が形成された状態で、上記洗浄ノズル７３の直線流路に供給される。したがって、泡沫状に形成された直線水流が、上記洗浄ノズル７３のノズルチップ７３ｂを介して噴射される。
【０１５１】
図１２は、便器用ビデがビデモードで運転されるときに、ビデノズルの直線流路とワイド流路に水が供給される状態を示す状態図である。
【０１５２】
図１２を参照すると、ユーザーがワイドビデボタンを選択すると、上記ノズルアセンブリー７０のノズル駆動装置７８が駆動されて上記ビデノズル７５が前進する。また、上記給水ポンプ９１が稼働されることにより、上記第１のハウジング１１０に水が供給される。
【０１５３】
また、上記第１の流路調節ユニット１３０の駆動モータ１５８が回動することにより、上記ディスク１５１の開閉口１５２は、上記第３のチャンバー１１５と対応する連通口１４５を開放させる。そのとき、上記第１のハウジング１１０の水は、第３のチャンバー１１５に流入される。
【０１５４】
また、上記エアポンプ９５が稼働されることにより上記空気混合部１２０に空気が供給される。これと同時に、上記第３のチャンバー１１５の水が上記空気混合部１２０の流入孔１２１を介して当該空気混合部１２０に流入される。このとき、上記空気混合部１２０で圧力が降下することによって、空気の混合比が顕著に増える。上記空気混合部１２０で空気と混合された水は、上記第２のハウジング１６０に流入される。
【０１５５】
上記第２の流路調節ユニット１７０の駆動モータ１９８が回動することにより、上記ディスク１９１の開閉口１９２は、上記第２の流路連通部材１８０のうち上記ビデノズル７５の直線流路とワイド流路と対応する連通口１８３、１８４を開放する。
【０１５６】
上記第２のハウジング１６０に流入された水は、小さい泡沫が形成された状態で、上記ビデノズル７５の直線流路とワイド流路に供給される。したがって、泡沫状に形成されたワイド水流が、上記ビデノズル７５のノズルチップ７５ｂを介して噴射される。
【０１５７】
図１３は、便器用ビデがビデモードで運転されるときに、ビデノズルの直線流路のみに水が供給される状態を示す状態図である。
【０１５８】
図１３を参照すると、ユーザーが直線水流ビデボタンを選択する場合、上記ノズルアセンブリー７０のノズル駆動装置７８が駆動されて上記ビデノズル７５が前進する。また、上記給水ポンプ９１が稼働されることにより、上記第１のハウジング１１０に水が供給される。
【０１５９】
また、上記第１の流路調節ユニット１３０の駆動モータ１５８が回動することにより、上記ディスク１５１の開閉口１５２は、上記第３のチャンバー１１５と対応する連通口１４５を開放させる。そのとき、上記第１のハウジング１１０の水は、上記第３のチャンバー１１５に流入される。
【０１６０】
また、上記エアポンプ９５が稼働されることにより上記空気混合部１２０に空気が供給され、これと同時に、上記第３のチャンバー１１５の水が上記空気混合部１２０の流入孔１２１を介して当該空気混合部１２０に流入される。このとき、上記空気混合部１２０では、圧力降下によって空気の混合比が顕著に増える。上記空気混合部１２０で空気と混合された水は、上記第２のハウジング１６０に流入される。
【０１６１】
上記第２の流路調節ユニット１７０の駆動モータ１９８が回動することにより、上記ディスク１９１の開閉口１９２は、上記第２の流路連通部材１８０のうちビデノズル７５の直線流路と対応する一つの連通口１８４のみを開放する。
【０１６２】
上記第２のハウジング１６０に流入された水は、小さい泡沫が形成された状態で、上記ビデノズル７５の直線流路に供給される。そのため、泡沫状に形成された直線水流が、上記ビデノズル７５のノズルチップ７５ｂを介して噴射される。
【０１６３】
上記洗浄ノズル７３又は上記ビデノズル７５が元位置に後退されると、当該洗浄ノズル７３又は当該ビデノズル７５のノズルチップ７３ｂ、７５ｂから汚れ（または汚物）を除去するために、当該ノズルチップ７３ｂ、７５ｂは殺菌される。
【０１６４】
図２は、殺菌システムを示す構成図であり、図１４は、便器用ビデがノズルチップ洗浄モードで運転されるときに、ノズルチップ洗浄部に水が供給される状態を示す状態図である。
【０１６５】
図２及び図１４を参照すると、上記第１の流路調節ユニット１３０の駆動モータ１５８が回動することにより、上記ディスク１５１の開閉口１５２は、上記第１のチャンバー１１３と対応する連通口１４１を開放させる。
【０１６６】
このとき、上記給水タンク９０又は水道管の水は、上記第１のハウジング１１０に流入されて、上記ノズルチップ殺菌管２１１、２１２（図２参照）に沿って流動される。このとき、上記連結管２２１の水は、上記殺菌水モジュール２３０に流入される。
【０１６７】
上記殺菌水モジュール２３０に供給された水には、各種イオンとＣｌ−イオンを含んでいる。例えば、上記殺菌水モジュール２３０に供給された水には、約１００ｐｐｍのＣｌ−イオンを含むことができる。ここで、上記Ｃｌ−イオンは、水道水に関する各種法規や規制、水温や水圧等に応じて、変更することができる。
【０１６８】
上記殺菌水モジュール２３０の電極に電圧が供給されることにより、水に電気が印加される。上記殺菌水モジュール２３０の電極の表面では、Ｃｌ−イオンがＣｌ２に還元される。上記殺菌水モジュール２３０の水に１００ｐｐｍのＣｌ−イオンが存在する場合、電気が印加された水には、約５〜８０ｐｐｍのＣｌ２が溶存し、約０．５〜１０ｐｐｍのＯＣｌ−イオン又はＨＯＣｌ−イオンがイオン化することができる。したがって、上記ＯＣｌ−イオン及び上記ＨＯＣｌ−イオンの濃度は、Ｃｌ−イオンの溶存量や、水温、水量（ｖｏｌｕｍｅ）、ｐＨ等に応じて可変とすることができる。
【０１６９】
上記ＨＯＣｌ−イオン及び上記ＯＣｌ−イオンは、殺菌作用を行うため、以下では、当該ＨＯＣｌ−イオン、当該ＯＣｌ−イオンが混合された水を殺菌水という。
【０１７０】
上記殺菌水は、上記連結管２２１を介して上記ノズルチップ洗浄部７７に供給される。上記ノズルチップ洗浄部７７は、水を噴射してノズルチップ７３ｂ、７５ｂを洗浄する。上記ノズルチップ７３ｂ、７５ｂは、殺菌面積が狭いため、上記殺菌水モジュール２３０で生成されたＨＯＣｌ−イオン、ＯＣｌ−イオンのみでも十分な殺菌作用が行われることができる。
【０１７１】
一方、上記エアポンプ９５は、停止されて上記空気混合部１２０に空気を供給しない。また、上記第２及び第３のチャンバー１１４、１１５は、上記流路調節ユニット１３０によって閉鎖されるため、上記第２のハウジング１６０には水が供給されない。
【０１７２】
次いで、上記便器１０の表面は、排便または排尿によって汚染されることがある。したがって、上記便器用ビデでは、ユーザーが直接ボタンを押して便器殺菌モードを行うか又は周期的に便器１０を殺菌する便器殺菌モードを行うことができる。
【０１７３】
図２は、殺菌システムを示す構成図であり、図１５は、便器用ビデが便器殺菌モードで運転されるときに便器殺菌モジュール２５０に殺菌水が供給される状態を示す状態図である。
【０１７４】
図２及び図１５を参照すると、上記第１の流路調節ユニット１３０の駆動モータ１５８が回動することにより、上記ディスク１５１の開閉口１５２は、上記第２のチャンバー１１４と対応する連通口１４１を開放させる。
【０１７５】
このとき、上記給水タンク９０又は水道管の水は、上記第１のハウジング１１０に流入されて、上記直水供給管２１１（図２参照）に沿って流動される。上記連結管２２１の水は、上記反応物質添加モジュール２４０に流入される。
【０１７６】
上記反応物質添加モジュール２４０に供給された水は、当該反応物質添加モジュール２４０に収容された反応物質を溶解させる。このとき、上記反応物質が水に溶解されることにより、水中に存在するＣｌ−イオンの濃度を顕著に増やすことができる。
【０１７７】
このような反応物質の溶解速度は、当該反応物質の密度又は水に露出される程度に応じて適切に調節されることができる。
【０１７８】
上記反応物質添加モジュール２４０で反応物質が添加された水は、上記直水供給管２１１を介して上記殺菌水モジュール２３０に流入される。上記便器殺菌モジュール２５０の電極に電圧が供給されると、水に電気が印加される。そして、上記便器殺菌モジュール２５０の電極の表面では、Ｃｌ−イオンがＣｌ２に還元される。
【０１７９】
例えば、上記便器殺菌モジュール２５０の水に１００，０００ｐｐｍのＣｌ−イオンが存在する場合、電気が印加された水には、約５０００ｐｐｍのＣｌ２が溶存し、約５００ｐｐｍのＨＯＣｌ−イオンまたはＯＣｌ−イオンがイオン化されることができる。したがって、単に水道水に電気を印加してイオン化させた場合に比べて、殺菌物質であるＨＯＣｌ−イオン、ＯＣｌ−イオンの溶存量を１０００倍程度上昇させることができる。
【０１８０】
上記殺菌水は、上記直水供給管２１１を介して上記便器殺菌モジュール２５０に供給される。上記便器殺菌モジュール２５０は、殺菌水を上記便器１０の表面に噴射して便器を殺菌する。
【０１８１】
この場合、上記便器１０の殺菌面積がノズルチップに比べて顕著に広くても、上記便器殺菌モジュール２５０で生成されたＨＯＣｌ−イオン、ＯＣｌ−イオンの量が顕著に増えるため、便器を十分に殺菌することができる。
【０１８２】
また、上記便器殺菌モジュール２５０から殺菌水が液滴状に噴射されるため、少ない量の殺菌水でも上記便器１０の表面を十分に殺菌することができる。
【０１８３】
一方、上記エアポンプ９５は、停止されて上記空気混合部１２０に空気を供給しない。また、上記第２及び第３のチャンバー１１４、１１５は、上記流路調節ユニット１３０によって閉鎖されるため、上記第２のハウジング１６０には水が供給されない。
【０１８４】
このように、水や殺菌水を異なる経路に流動させて上記ノズルチップ７３ｂ、７５ｂ及び上記便器１０を殺菌するので、殺菌面積が相違する当該ノズルチップ７３ｂ、７５ｂ及び当該便器１０を適切に殺菌することができる。
【０１８５】
次いで、本発明による殺菌システムの第２の実施形態について説明する。
【０１８６】
図１６は、本発明による便器用ビデを構成する殺菌システムの第２の実施形態を示す構成図である。第２の実施形態を説明する上で、第１の実施形態と同じ構成に対しては、同じ図面符号を付してその説明を省略する。
【０１８７】
図１６を参照すると、本発明の第２の実施形態では、上記流路制御装置１００と上記殺菌水モジュール２３０とが上記連結管２２１によって連結され、当該連結管２２１には、上記反応物質添加モジュール２４０が設けられる。
【０１８８】
この場合、本発明の第２の実施形態は、第１の実施形態と比較して上記流路制御装置１００と上記殺菌水モジュール２３０との間に上記直水供給管２１１（図２参照）が連結されない。また、上記直水供給管２１１（図２参照）が省略されるため、上記流路制御装置１００には、当該直水供給管２１１（図２参照）と連結される第１のチャンバー１１３（図５参照）が形成されない。また、上記流路制御装置１００の第１のハウジング１１０（図５参照）には、二つのチャンバー１１４、１１５のみが形成されることができる。
【０１８９】
上述した殺菌システムでは、上記流路制御装置１００から吐出された水が常に上記反応物質添加モジュール２４０を経て上記殺菌水モジュール２３０に流入される。したがって、上記殺菌水モジュール２３０には、常に反応物質が添加された水が流入されるため、当該殺菌水モジュール２３０の水に電気が印加されることにより、殺菌物質であるＨＯＣｌ−イオン、ＯＣｌ−イオンの生成量が顕著に増える。このように、殺菌力が顕著に上昇した殺菌水を上記ノズルチップ洗浄部７７及び上記便器殺菌モジュール２５０に提供することができるため、殺菌性能が向上する。
【０１９０】
次に、本発明の変形実施形態を説明する。
【０１９１】
図１７には、本発明の変形実施形態の空気混合部１２０の断面図が示されている。本発明の変形実施形態から空気混合部１２０の構成を除いた他の構成は、図４から図７で説明した流路制御装置の構成と同一である。
【０１９２】
図１７に示されるように、本発明の変形実施形態の空気混合部１２０は、吐出側１２４の端部に行くほど狭くなる形態の空気チューブ１２３を含み、当該空気チューブ１２３の吐出側１２４は、円錐形に形成されることができる。
【０１９３】
上記空気チューブ１２３は、空気圧によって開閉できるようにフレキシブルな素材により作ることができる。このような空気チューブ１２３は、ラテックスゴムのような素材により作ることができる。
【０１９４】
上記空気混合部１２０は、上記空気チューブ１２３の吐出側の近くに形成された空間部を含んでいる。したがって、上記空気チューブ１２３の吐出側１２４は、空気圧によって開放されることができる。
【０１９５】
また、上記空気混合部１２０は、上記空気チューブ１２３の空気吐出端に配置されて空気が通る多孔性部材１２７をさらに含むことができる。上記多孔性部材１２７としては、スポンジ（ｓｐｏｎｇｅ）やメッシュネット（ｍｅｓｈ  ｎｅｔ）等を用いることができる。
【０１９６】
上記多孔性部材１２７は、均一な圧力で空気が広がるようにすることにより、当該空気が水に混合されるときに騒音が生じることを防止する。また、空気の吐出面積が広がることにより、水と混合される比率を増やすことができるため、豊富な泡沫を含むソフトな水流を形成することができる。
【産業上の利用可能性】
【０１９７】
本発明は、便器用ビデの構造を単純化し、組み立て及び分離を容易にし、必要に応じて殺菌物質の濃度を調節してノズルチップと便器を殺菌することができる。
【符号の説明】
【０１９８】
７３  洗浄ノズル
７５  ビデノズル
１００  流路制御装置
１１０  第１のハウジング
１１３  第１のチャンバー
１１４  第２のチャンバー
１１５  第３のチャンバー
１２０  空気混合部
１２３  空気チューブ
１２７  多孔性部材
１３０  第１の流路調節ユニット
１４０  第１の流路連通部材
１４１  連通口
１５０  第１の流路開閉部材
１６０  第２のハウジング
１７０  第２の流路調節ユニット
１８０  第２の流路連通部材
１８１  連通口
１８１ａ、１８２ａ、１８３ａ、１８４ａ  段差部
１９０  第２の流路開閉部材
２１１  直水供給管
２１２  ノズルチップ殺菌管
２２１  連結管
２２２  便座殺菌管
２３０  殺菌水モジュール
２４０  反応物質添加モジュール
２５０  便器殺菌モジュール
【図１】
0005802652.tif 000002
【図２】
0005802652.tif 000003
【図３】
0005802652.tif 000004
【図４】
0005802652.tif 000005
【図５】
0005802652.tif 000006
【図６】
0005802652.tif 000007
【図７】
0005802652.tif 000008
【図８】
0005802652.tif 000009
【図９】
0005802652.tif 000010
【図１０】
0005802652.tif 000011
【図１１】
0005802652.tif 000012
【図１２】
0005802652.tif 000013
【図１３】
0005802652.tif 000014
【図１４】
0005802652.tif 000015
【図１５】
0005802652.tif 000016
【図１６】
0005802652.tif 000017
【図１７】
0005802652.tif 000018